(57)【要約】【課題】フックの着脱操作を容易に行なえ、水中でフックが自由に回転することを抑制し、引張強度の強いスプリットリングを装着した疑似餌を提供する。【解決手段】本発明は、フック２０を交換するスプリットリング１０が装着された疑似餌１において、スプリットリング１０は、リング状に形成された線材１１の少なくとも一端部１１ｃが、中間部１１ｂに対して離間する方向に湾曲されていることを特徴とする。【選択図】  図１
2020145942.tif 000002
【特許請求の範囲】
【請求項１】
フックを交換するスプリットリングが装着された疑似餌において、
前記スプリットリングは、リング状に形成された線材の少なくとも一端部が、中間部に対して離間する方向に湾曲されていることを特徴とする疑似餌。
【請求項２】
前記スプリットリングの端部は、中間部を含む平面に対して、１０°以上曲げられており、前記フックは、スプリットリングに取り付ける環部がスプリットリングの端部によって回転移動が規制されていることを特徴とする請求項１に記載の疑似餌。
【請求項３】
前記スプリットリングを構成する線材は、３６０°よりも巻回量が大きいことを特徴とする請求項１又は２に記載の疑似餌。
【請求項４】
疑似餌に対して装着可能であり、フックを着脱可能に交換するスプリットリングであって、
リング状に形成された線材の少なくとも一端部が、中間部に対して離間する方向に湾曲されていることを特徴とするスプリットリング。
【請求項５】
前記スプリットリングの端部は、中間部を含む平面に対して、１０°以上曲げられていることを特徴とする請求項３に記載のスプリットリング。
【請求項６】
前記線材は、３６０°よりも巻回量が大きいことを特徴とする請求項４又は５に記載のスプリットリング。
【発明の詳細な説明】
【技術分野】
【０００１】
本発明は、魚釣りに際して使用されるルアー、ジグヘッドなどの疑似餌に関し、詳細には、フック（釣針）を着脱可能にするスプリットリングに特徴を備えた疑似餌、及び、疑似餌用のスプリットリングに関する。
【背景技術】
【０００２】
上記した疑似餌には、必要に応じて異なるタイプのフックが着脱できるようにスプリットリングが装着されている。スプリットリングは、線状の部材を環状に湾曲させて構成されており、例えば、特許文献１に開示されたものが一般的となっている。ここで、特許文献１に開示されているスプリットリングを、図７（Ａ）（Ｂ）を参照して説明する。
通常、スプリットリング１００は、線材１０１の両端部１０１ａ，１０１ｂが中間部１０２に対して密着するように略二周巻回した構成となっており、いずれかの端部を中間部から強制的に離間させ、この状態でフック１１０の環部１１１を線材の端部に嵌め込み、中間部に沿って移動することで、フック１１０を装着するようにしている。フック１１０を取り外す際には、同様に、スプリットリングの端部１０１ａ（１０１ｂ）と中間部１０２を強制的に離間させ、フック１１０の環部１１１をその隙間に嵌め込んで、中間部に沿って移動することでフック１１０を取り外すことができる。
【０００３】
また、特許文献１には、線材を略一周巻回して、端部を基端部から僅かに離間させた構成の連結用アイも開示されている。このような連結用アイをフック用の着脱構造として用いると、フックの環部を装着する際、端部を拡げる必要が無いため、容易にフックを着脱することが可能である。
【先行技術文献】
【特許文献】
【０００４】
【特許文献１】実用新案登録第３０２１８２７号
【発明の概要】
【発明が解決しようとする課題】
【０００５】
従来のスプリットリングは、フックの環部を着脱する際に、スプリットリングの端部を中間部から拡げる操作（プライヤー等の工具を使用して拡げる操作）を行なう必要があるため、フックの着脱操作が容易に行なえない。また、フックを取り付けると、その環部がスプリットリング内で自由に回転することができ、水中内でフックが様々な方向を向き易い状態になることから、フッキング性能が悪い。さらに、線材を略一周巻回した形式のものは、フックの着脱操作は比較的容易に行なえるものの、引張強度が弱く、上記した構成と同様、水中内でフックが様々な方向を向き易くフッキング性能が悪い。
【０００６】
本発明は、上記した問題に着目してなされたものであり、フックの着脱操作を容易に行なえ、水中でフックが自由に回転することを抑制し、引張強度の強いスプリットリングを装着した疑似餌、及び、疑似餌に装着されるスプリットリングを提供することを目的とする。
【課題を解決するための手段】
【０００７】
上記した目的を達成するために、本発明に係る疑似餌は、フックを交換するスプリットリングが装着されており、前記スプリットリングは、リング状に形成された線材の少なくとも一端部が、中間部に対して離間する方向に湾曲されていることを特徴とする。
【０００８】
上記した構成の疑似餌において、スプリットリングにフックの環部を差し込んでフックを装着する際、リング状に形成されたスプリットリングの線材の少なくとも一端部が、中間部から離間した状態となっているため、従来のように、工具を用いて端部を中間部から離間させるような操作が不要となり、フックを容易に装着することができる。また、フックを取り付けて環部がスプリットリングに沿って移動しても、環部がスプリットリングの湾曲した端部に当て付くため、フックの回転方向や横方向の移動が規制される。すなわち、水中でフックが自由に変動することが抑制され、フックの針先の向きの安定化が図れるため、魚に対するフッキングが向上する。
【０００９】
また、本発明は、上記したような疑似餌に取り付けることが可能なスプリットリングを特徴としており、スプリングリングは、リング状に形成された線材の少なくとも一端部が、中間部に対して離間するように湾曲されていることを特徴とする。
【発明の効果】
【００１０】
本発明によれば、フックの着脱操作を容易に行なえ、水中でフックが自由に回転することを抑制し、引張強度の強いスプリットリングを装着した疑似餌、及び、疑似餌に装着されるスプリットリングが得られる。
【図面の簡単な説明】
【００１１】
【図１】本発明に係る疑似餌の第１の実施形態を示し、（Ａ）は全体構成を示す斜視図、（Ｂ）はラバーを除去した状態を示す斜視図。
【図２】図１に示す疑似餌において、スプリットリング部分を示す図であり、（Ａ）は斜視図、（Ｂ）は正面図、（Ｃ）は側面図。
【図３】（ａ）から（ｆ）は、順にスプリットリングに対してフックを装着する手順を示す図。
【図４】（Ａ）及び（Ｂ）は、スプリットリングによって装着されたフックの変動が規制される状態を示す図。
【図５】本発明に係る疑似餌の第２の実施形態を示す斜視図。
【図６】（Ａ）〜（Ｃ）は、スプリットリングの端部形状の各種変形例を示す図。
【図７】従来のスプリットリングの構成を示しており、（Ａ）はフックが装着された状態を示す斜視図、（Ｂ）はフックを外した状態を示す斜視図。
【発明を実施するための形態】
【００１２】
以下、本発明に係る疑似餌の実施形態について説明する。
図１は、本発明に係る疑似餌の第１の実施形態を示す図である。
図１に示す疑似餌１は、いわゆるジグヘッドと称されるものであり、釣糸が締結されるアイ３ａが形成された錘（シンカー）３に多数本のラバー５を垂下するように取着して構成されている。
【００１３】
前記錘３には、アイ３ａが設けられる位置と反対側に、スプリットリング１０が一体的に取り付けられており、このスプリットリング１０には、フック２０に形成されている環部２１が装着される。本実施形態のスプリットリング１０は、後述するように、フック２０が着脱し易く、かつ、フックの変動が規制できる形状となっている。
【００１４】
図２に示すように、スプリットリング１０は、金属製の線材１１をリング状に湾曲することで形成されている。この場合、線材１１は、フック２０の環部２１の開口径よりも細く、かつ、その条件で、できるだけ太い径のものが用いられる。具体的に、線材１１の径は、フック２０の環部２１の開口径にもよるが、魚が掛かって大きな引張力が作用しても十分な強度が確保できる程度の太さのもの（０．５〜２．０ｍｍ程度）が用いられる。さらに、線材１１は、以下のように、一周以上巻回される（３６０°よりも大きい巻回量）ことから、フッキングした魚のパワーによって拡がることはない。
【００１５】
本実施形態では、線材１１の一端部（基端部）１１ａを錘３のベース３ｂに一体的に固定しており、そこから先は、リング状に一周以上巻回し、他端部（先端部）１１ｃを、リング状に巻回された状態にある中間部１１ｂの側部に接触させることなく、離間するように巻回している。具体的には、線材１１は、フッキングした魚のパワーによって先端部１１ｃが拡がることがないように、約一周半（約５４０°程度）に亘って巻回されており、線材を巻回するに際しては、中間部１１ｂを含む平面Ｐと、先端部１１ｃが指向する方向（先端に向けて湾曲しながら離間する方向）との間の角度（湾曲角度）αが一定値以上となるように湾曲形成されている。したがって、先端部１１ｃと中間部１１ｂとの間には、線材１１を湾曲させて前記角度αを形成することによって、一定の隙間Ｇが生じた状態となっている。
【００１６】
上記した線材において、角度αが大きくなうように湾曲させると、フック２０の環部２１を通し易くすることができる。このため、前記角度αについては、中間部に対して多少離間するように、一定角度以上形成されていることが好ましい。具体的には、フック２０の環部２１がある程度太い構成であっても、そのまま挿入できるように、１０°以上となるように形成されていることが好ましく、これにより、フック２０の環部２１を、工具などを用いることなく、先端部１１ｃからスムースに中間部に向けて挿通させることが可能となる。なお、角度αの上限については、特に特定されることはないが、９０°以内で湾曲させておけば良い。
【００１７】
ここで、図３（ａ）〜（ｆ）を参照して、上記した構成のスプリットリング１０に対して、フック２０を装着する手順を説明する。
【００１８】
最初にフック２０の環部２１をスプリットリングの先端部１１ｃに位置付けて挿入する（図（ａ）〜（ｂ）参照）。この操作において、先端部１１ｃは線材の中間部１１ｂから離間して隙間が生じているため、工具を用いることなく容易に挿入することができる。  
そして、その後、フック２０を摘まんで、線材に沿って回転させる（図（ｃ）〜（ｅ）参照）ことで、フック２０は、スプリットリング１０に対して装着状態となる（図（ｆ）参照）。なお、フック２０の取り外しは、フック２０を摘まんで上記した手順と逆の操作をすることで容易に行なうことが可能である。
【００１９】
上記した手順によって、フック２０をスプリットリング１０に装着すると、上記した角度αが小さければ、フック２０の環部２１が先端部１１ｃの端面１１ｃ´に当たって、中間部１１ｂに沿ってフック２０が大きく回転することが規制される。すなわち、図４（Ａ）で示すように、実線の位置から手前の点線２０Ａで示す位置への回転移動は可能となるが、実線の位置から奥側の点線２０Ｂで示す位置への回転移動は規制され、結果として、フックは、後方へ回転することなく魚が掛かり易い前方向への回転ができるため、フッキングし易くなる。この場合、上記角度αが多少、大きく湾曲形成されていても、フックの環部２１が、先端部１１ｃ付近の内側面１１ｃ´´（図２（Ｂ）参照）部分に当接するため、同様に、奥側への回転が規制され、フックが後方向に回転することが抑制される。
【００２０】
また、スプリットリング１０の先端部の端面１１ｃ´から奥側では、上記した規制により、図４（Ｂ）の点線のような左右方向（点線２０Ｃ，２０Ｄに示すような左右方向）への揺動についても規制されるようになる。
【００２１】
したがって、上記した構成のスプリットリング１０にフック２０を装着すると、線材の先端部１１ｃを境にして、前後方向の回転、及び、左右方向の揺動が規制されるようになり、これにより、水中でフック２０の針先２０ａが上を向いた状態で維持され易くなってフッキング性能が向上するようになる。
【００２２】
図５は、疑似餌の第２実施形態を示す図である。
この実施形態の疑似餌１Ａは、ルアータイプとして構成されており、本体３Ａの下側の２箇所に、上記した構成のスプリットリング１０を取り付けて、フック３０を装着している。本実施形態の構成においても、フック３０の環部３１は、スプリットリング１０に対して容易に着脱することが可能であり、また、本体３Ａのアイ３ａ´に釣糸を締結し、リールの巻き取り操作をしながらルアーにアクションを加えると、上記したように、フック３０の前後方向の回転、及び、左右方向への揺動が規制されるため、ルアーの水中姿勢が安定し、魚が掛かり易くなる（食わせ能力が向上する）。
【００２３】
以上、本発明の実施形態について説明したが、本発明は、上記した実施形態に限定されることはなく、種々、変形することが可能である。
上記した実施形態では、スプリットリング１０の線材の一方の端部（基端部）を疑似餌の本体に装着したが、図７に示す構成と同様、スプリットリング１０の中間部を疑似餌の本体に装着し、線材の両端部を、中間部１１ｂから離間するように湾曲形成しても良い。このような構成では、フックの着脱操作がより容易に行なえるようになる。また、線材１１を湾曲してリング状に形成するに際しては、その巻回数（巻回量）については、図７に示したように、二周にする等、特に限定されることはなく、巻回量については、多くすることで引張強度の向上が図れる。
【００２４】
また、本発明では、スプリットリングは、リング状に形成された線材の少なくとも一端部が、中間部に対して離間する方向に湾曲されていれば良く、その離間のさせ方については、種々変形することが可能である。例えば、図６（Ａ）に示すように、先端部１１ｃの端面１１ｃ´のみを中間部１１ｂに対して急激に屈曲させて離間させたり、図６（Ｂ）に示すように、先端部１１ｃの端面１１ｃ´が、上方に向かって中間部１１ｂから離間しながら延びるようにしたり、図６（Ｃ）に示すように、先端部１１ｃを略直角状（くの字状）に屈曲させて中間部１１ｂから離間させる等、適宜、変形することが可能である。
【００２５】
さらに、本発明は、上記した構成のスプリットリング１０そのものであっても良い。このようなスプリットリングについては、ユーザーが仕掛けを作成する際に、フック等、予め環部が形成されている仕掛け構成部品が接続される箇所に設けておけば良く、これにより仕掛けを容易に作成することが可能となる。
【符号の説明】
【００２６】
１，１Ａ  疑似餌
１０  スプリットリング
１１  線材
１１ａ  基端部（端部）
１１ｂ  中間部
１１ｃ  先端部（端部）
２０  ，３０フック
２１，３１  環部
【図１】
2020145942.tif 000003
【図２】
2020145942.tif 000004
【図３】
2020145942.tif 000005
【図４】
2020145942.tif 000006
【図５】
2020145942.tif 000007
【図６】
2020145942.tif 000008
【図７】
2020145942.tif 000009